(57)【要約】【課題】ディジタルカメラ等で撮影したユーザの画像、およびハーフミラーに映るユーザの姿を積極的に利用し、ヘアースタイルやヘアーカラーのシミュレーションが可能な表示装置および画像処理システムを提供する。【解決手段】背面側から入射した光を前面側に透過し、かつ前記前面側から入射した光を前記前面側に反射するハーフミラー７と、前記ハーフミラー７の前記背面側に配置される表示部５と、ユーザ８を撮像して、ユーザ画像データを生成する撮像部４と、複数の装着部材画像データを保存する画像データ保存部２と、前記画像データ保存部２から選択的に読み出された前記装着部材画像データと前記ユーザ画像データとを合成し、合成画像データを生成する画像合成部３と、前記表示部５に前記合成画像データを表示する画像表示制御部１とを備える。【選択図】  図１
2005010356.tif 000002
【特許請求の範囲】
【請求項１】
背面側から入射した光を前面側に透過し、かつ前記前面側から入射した光を前記前面側に反射するハーフミラーと、
前記ハーフミラーの前記背面側に配置される表示部と、
ユーザを撮像して、ユーザ画像データを生成する撮像部と、
複数の装着部材画像データを保存する画像データ保存部と、
前記画像データ保存部から選択的に読み出された前記装着部材画像データと前記ユーザ画像データとを合成し、合成画像データを生成する画像合成部と、
前記表示部に前記合成画像データを表示するよう制御する画像表示制御部と、を備えたことを特徴とする表示装置。
【請求項２】
前記ハーフミラーに沿って前記表示部を移動させる移動機構を有することを特徴とする請求項１記載の表示装置。
【請求項３】
前記画像表示制御部は、前記合成画像データを非表示とすることにより、前記ハーフミラーをミラーとして機能させることを特徴とする請求項１または２記載の表示装置。
【請求項４】
前記画像表示制御部は、前記表示部の所定の領域に黒信号を供給することにより、前記所定の領域をミラーとして機能させることを特徴とする請求項１または２記載の表示装置。
【請求項５】
前記撮像部は、前記ユーザの全身を撮像し、
前記画像合成部は、前記ユーザの全身が撮像された前記ユーザ画像データと前記装着部材画像データとを合成することを特徴とする請求項１〜４のいずれか１項記載の表示装置。
【請求項６】
前記撮像部は、前記ユーザの身体の一部を撮像し、
前記画像合成部は、前記ユーザの身体の一部が撮像された前記ユーザ画像データと前記装着部材画像データとを合成することを特徴とすることを特徴とする請求項１〜４のいずれか１項記載の表示装置。
【請求項７】
前記画像表示制御部は、前記表示部における前記ユーザの身体の一部以外の領域を非表示とすることを特徴とする請求項６記載の表示装置。
【請求項８】
前記画像表示制御部は、前記表示部にテレビジョン映像を表示可能であることを特徴とする請求項１〜７のいずれか１項記載の表示装置。
【請求項９】
画像処理サーバと表示装置がネットワークを介して接続された画像処理システムであって、
前記画像処理サーバは、複数の装着部材画像データを保存する画像データ保存部と、
前記画像データ保存部から選択的に読み出された前記装着部材画像データと前記ネットワークを介して前記表示装置から送られてきた画像データとを合成し、合成画像データを生成する画像合成部とを備え、
前記表示装置は、背面側から入射した光を前面側に透過し、かつ前記前面側から入射した光を前記前面側に反射するハーフミラーと、
前記ハーフミラーの前記背面側に配置される表示部と、
ユーザを撮像して、画像データを生成する撮像部と、
前記表示部に前記画像処理サーバから前記ネットワークを介して送られてきた前記合成画像データを表示する画像表示制御部とを備えたことを特徴とする画像表示システム。
【請求項１０】
前記表示部は、プラズマディスプレイパネルであることを特徴とする請求項１〜９のいずれか１項記載の表示装置あるいは画像表示システム。
【発明の詳細な説明】
【０００１】
【発明が属する技術分野】
本発明は、表示装置および画像処理システムに関する。
【０００２】
【従来の技術】
従来、ハーフミラーに鏡としての機能とは別の情報表示機能を付加した情報表示機能付きミラーが知られている（例えば、特許文献１参照）。
【０００３】
また、ハーフミラーを使用して、情報の非表示状態の表示面を外観上好ましいものにすると共に、リモートコントロールスイッチの操作状況に応じて必要な情報を表示するリモコン用表示装置が知られている（例えば、特許文献２参照）。
【０００４】
また、インターネットを利用して、希望するヘアースタイルにセットする場合の商品の使用方法を的確にアドバイスするヘアーセットのアドバイスシステムが知られている（例えば、特許文献３参照）。
【０００５】
【特許文献１】
特開２００２−２２９４９４号公報
【特許文献２】
特開２００２−２４７６７４号公報
【特許文献３】
特開２００２−１３３２８０号公報
【０００６】
【発明が解決しようとする課題】
しかしながら、上記従来の表示装置は、表示装置の一部をハーフミラーで構成し所定の情報を表示するものであり、ハーフミラーに映るユーザの姿を必ずしも十分に利用したものではなかった。
【０００７】
また、インターネットを通じて、希望するヘアースタイルにセットするために商品の使用方法が提供されるが、ユーザのトータルファッションに対する興味を十分に満足させるものではなかった。
【０００８】
本発明は、上記従来の事情に鑑みてなされたものであって、デジタルカメラ等で撮影したユーザの画像、およびハーフミラーに映るユーザの姿を積極的に利用し、ヘアースタイルやヘアーカラー等のシミュレーションが可能な表示装置および画像処理システムを提供することを目的としている。
【０００９】
【課題を解決するための手段】
本発明の請求項１記載の表示装置は、背面側から入射した光を前面側に透過し、かつ前記前面側から入射した光を前記前面側に反射するハーフミラーと、
前記ハーフミラーの前記背面側に配置される表示部と、
ユーザを撮像して、ユーザ画像データを生成する撮像部と、
複数の装着部材画像データを保存する画像データ保存部と、
前記画像データ保存部から選択的に読み出された前記装着部材画像データと前記ユーザ画像データとを合成し、合成画像データを生成する画像合成部と、
前記表示部に前記合成画像データを表示するよう制御する画像表示制御部と、を備えたことを特徴とする。
【００１０】
また、本発明の請求項９記載の画像処理システムは、画像処理サーバと表示装置がネットワークを介して接続された画像処理システムであって、
前記画像処理サーバは、複数の装着部材画像データを保存する画像データ保存部と、
前記画像データ保存部から選択的に読み出された前記装着部材画像データと前記ネットワークを介して前記表示装置から送られてきた画像データとを合成し、合成画像データを生成する画像合成部とを備え、
前記表示装置は、背面側から入射した光を前面側に透過し、かつ前記前面側から入射した光を前記前面側に反射するハーフミラーと、
前記ハーフミラーの前記背面側に配置される表示部と、
ユーザを撮像して、画像データを生成する撮像部と、
前記表示部に前記画像処理サーバから前記ネットワークを介して送られてきた前記合成画像データを表示する画像表示制御部とを備えたことを特徴とする。
【００１１】
【発明の実施の形態】
以下、本発明に係る表示装置および画像処理システムの実施形態について詳細に説明する。
【００１２】
本実施形態の表示装置は、背面側から入射した光を前面側に透過し、かつ前記前面側から入射した光を前記前面側に反射するハーフミラーと、前記ハーフミラーの前記背面側に配置される表示部と、ユーザを撮像して、ユーザ画像データを生成する撮像部と、複数の装着部材画像データを保存する画像データ保存部と、前記画像データ保存部から選択的に読み出された前記装着部材画像データと前記ユーザ画像データとを合成し、合成画像データを生成する画像合成部と、前記表示部に前記合成画像データを表示する画像表示制御部と、を備えたことを特徴とする。
【００１３】
本実施形態の表示装置によれば、撮像部で撮像したユーザ画像データと、あらかじめ保存されているヘアースタイルおよびヘアーカラー等の装着部材画像データを合成して表示することができるので、実際にヘアーカットやヘアーセットを行う前に、そのヘアースタイルがユーザに似合っているかどうかを的確に判断することができる。
【００１４】
また、本実施形態の表示装置は、前記ハーフミラーに沿って前記表示部を移動させる移動機構を有することを特徴とする。
【００１５】
本実施形態の表示装置によれば、美容院等で使用する場合に、ハーフミラーの前面側に複数設置された座席に対して、表示部をユーザが座った座席に対面する位置に移動させることができるので、少ない設備で複数のユーザの要求に応じることができる。
【００１６】
また、本実施形態の表示装置の前記画像表示制御部は、前記合成画像データを非表示とすることにより、前記ハーフミラーをミラーとして機能させることを特徴とする。
【００１７】
本実施形態の表示装置によれば、合成画像データを非表示とすることにより、ハーフミラーをミラーとして機能させることができるので、ヘアースタイル等を自由に選択することができるとともに、ヘアーセット終了後の確認を容易に行うことができる。
【００１８】
また、本実施形態の表示装置の前記画像表示制御部は、前記表示部の所定の領域に黒信号を供給することにより、前記所定の領域をミラーとして機能させることを特徴とする。
【００１９】
本実施形態の表示装置によれば、表示部の所定の領域に黒信号を供給することにより、ハーフミラーをミラーとして機能させることができるので、ヘアースタイル等を自由に選択することができるとともに、ヘアーセット終了後の確認を容易に行うことができる。
【００２０】
また、本実施形態の表示装置の前記撮像部は、前記ユーザの全身を撮像し、前記画像合成部は、前記ユーザの全身が撮像された前記ユーザ画像データと前記装着部材画像データとを合成することを特徴とする。
【００２１】
本実施形態の表示装置によれば、トータルファッションのバランスを画面上でシミュレーションすることができるので、希望するファッションアイテムを的確に選択することができ、ユーザの趣向を十分に満足させることができる。
【００２２】
また、本実施形態の表示装置の前記撮像部は、前記ユーザの身体の一部を撮像し、前記画像合成部は、前記ユーザの身体の一部が撮像された前記ユーザ画像データと前記装着部材画像データとを合成することを特徴とすることを特徴とする。
【００２３】
本実施形態の表示装置によれば、例えば、ユーザの顔の画像データと装着部材画像データを合成して表示させることができるので、ユーザに似合うファッションアイテムを容易に選択することができる。
【００２４】
また、本実施形態の表示装置の前記画像表示制御部は、前記表示部における前記ユーザの身体の一部以外の領域を非表示とすることを特徴とする。
【００２５】
本実施形態の表示装置によれば、例えば、ユーザの上着部分以外の領域をミラーとして機能させることができるので、ユーザが身に付けている服装に合った上着を容易に選択することができる。
【００２６】
また、本実施形態の表示装置の前記画像表示制御部は、前記表示部にテレビジョン映像を表示可能であることを特徴とする。
【００２７】
本実施形態の表示装置によれば、表示部にテレビジョン映像を表示することができるので、美容院などでユーザがパーマをかけている間などの待ち時間を楽しく過ごすことができ、ユーザの満足度を向上させることができる。
【００２８】
また、本実施形態の画像表示システムは、画像処理サーバと表示装置がネットワークを介して接続された画像処理システムであって、前記画像処理サーバは、複数の装着部材画像データを保存する画像データ保存部と、前記画像データ保存部から選択的に読み出された前記装着部材画像データと前記ネットワークを介して前記表示装置から送られてきた画像データとを合成し、合成画像データを生成する画像合成部とを備え、前記表示装置は、背面側から入射した光を前面側に透過し、かつ前記前面側から入射した光を前記前面側に反射するハーフミラーと、前記ハーフミラーの前記背面側に配置される表示部と、ユーザを撮像して、画像データを生成する撮像部と、前記表示部に前記画像処理サーバから前記ネットワークを介して送られてきた前記合成画像データを表示する画像表示制御部とを備えたことを特徴とする。
【００２９】
本実施形態の画像処理システムによれば、画像処理サーバに複数の装着部材画像データを保存する画像データ保存部を備えるので、複数の表示部に表示させるの装着部材画像データを一括して保存し管理することができる。また、ファッションの流行に応じて、画像処理サーバの装着部材画像データを更新すれば、常に最新のファッションに対応することができる。
【００３０】
本実施形態の表示装置あるいは画像処理システムの前記表示部は、プラズマディスプレイパネルであることを特徴とする。
【００３１】
本実施形態の表示装置あるいは画像処理システムによれば、明るい室内で使用する場合に、高輝度・高精細の表示が可能である。
【００３２】
以上説明したように、上記本実施形態の表示装置によれば、撮像部で撮像したユーザ画像データと、あらかじめ保存されているヘアースタイルおよびヘアーカラー等の装着部材画像データを合成して表示することができるので、実際にヘアーカットやヘアーセットを行う前に、そのヘアースタイルがユーザに似合っているかどうかを的確に判断することができる。
【００３３】
また、本実施形態の表示装置によれば、美容院等で使用する場合に、ハーフミラーの前面側に複数設置された座席に対して、表示部をユーザが座った座席に対面する位置に移動させることができるので、少ない設備で複数のユーザの要求に応じることができる。
【００３４】
また、本実施形態の表示装置によれば、合成画像データを非表示とすることにより、ハーフミラーをミラーとして機能させることができるので、ヘアースタイル等を自由に選択することができるとともに、ヘアーセット終了後の確認等を容易に行うことができる。
【００３５】
また、本実施形態の表示装置によれば、トータルファッションのバランスを画面上でシミュレーションすることができるので、希望するファッションアイテムを的確に選択することができ、ユーザの趣向を十分に満足させることができる。
【００３６】
【実施例】
（第１の実施例）
図１は、本発明の第１の実施例を説明するための表示装置１０を示す概略構成図である。同図に示すように、本実施例の表示装置１０は、背面側（ユーザ８の反対側）から入射した光を前面側（ユーザ８側）に透過し、かつ前面側から入射した光を前面側に反射するハーフミラー７と、ハーフミラー７の背面側に配置される表示部５と、ユーザ８を撮像して、ユーザ画像データを生成する撮像部４と、複数の装着部材画像データを保存する画像データ保存部２と、画像データ保存部２から選択的に読み出された装着部材画像データとユーザ画像データとを合成し、合成画像データを生成する画像合成部３と、表示部５に合成画像データを表示する画像表示制御部１と、ハーフミラー７に沿って表示部５を移動させる移動機構６とを備える。
【００３７】
画像処理制御部１は、表示装置１０全体の動作を制御するもので、所定のプログラムによって動作するプロセッサを主体に構成される。撮像部４は、ユーザ８の頭部あるいは全身を撮像するもので、デジタルカメラ等で構成される。画像データ保存部２は、撮像部４で撮像したユーザ８の画像データ、およびユーザ８の画像データと合成するヘアースタイル、ヘアーカラー等の画像データを保存するＲＯＭ、ＲＡＭあるいはハードディスク等で構成される。
【００３８】
また、画像合成部３は、画像処理制御部１の制御のもとに所定のプログラムに従って、撮像部４で撮像したユーザ８の画像データと画像データ保存部２に保存されているヘアースタイル等の画像データを合成する。なお、画像合成部３は、画像表示速度を向上させるために専用のハードウェア構成とすることが好ましい。
【００３９】
表示部５は、ハーフミラー７の背面側に設置されるもので、プラズマディスプレイパネル（ｐｌａｓｍａ  ｄｉｓｐｌａｙ  ｐａｎｅｌ）、液晶表示装置（ｌｉｑｕｉｄ  ｃｒｙｓｔａｌ  ｄｉｓｐｌａｙ）等が用いられる。なお、明るい室内で使用する場合は、高輝度・高精細の表示が可能なプラズマディスプレイパネルを用いることが好ましい。
【００４０】
移動機構６は、ハーフミラー７の背面側で表示部５をユーザ８から見て左右に移動させるもので、モーター、車およびレール等の機構部分とその駆動回路で構成される。移動機構６の構成については後述する。
【００４１】
次に、図１に示した表示装置１０の使用例について説明する。図２は、本実施例の表示装置１０を美容院等で使用する様子を示す説明図である。本実施例の表示装置１０の表示部５は、ユーザ８および美容師９の前面に設置されるハーフミラー７の背面側に設置される。
【００４２】
ハーフミラー７は、表示装置１０を使用しない場合は通常のミラーとして機能し、ユーザ８および美容師９の姿を映してヘアーカットやヘアーセットが行われる。一方、表示装置１０を使用する場合は、ユーザ８および美容師９はハーフミラー７を通してハーフミラー７の背面側に設置された表示部５に表示される画像を見ることができる。
【００４３】
また、ハーフミラー７の前面側には、デジタルカメラ等の撮像部４（図示省略）が設けられており、ユーザ８の顔およびヘアースタイルを撮像して、ユーザ画像データを生成する。
【００４４】
一方、表示装置１０の画像データ保存部２には、ヘアースタイルやヘアーカラー等の装着部材画像データが保存されている。そして、画像合成部３は、画像データ保存部２から選択的に読み出したヘアースタイル等の装着部材画像データと、ユーザ８の顔を撮像したユーザ画像データとを合成し、合成画像データを生成し、この合成画像データを表示部５に表示する。図２は、表示部５に合成画像データが表示されている状態を示す。
【００４５】
このように、本実施例の表示装置１０によれば、撮像部４で撮像したユーザ８の顔等の画像データと、あらかじめ保存されているヘアースタイルおよびヘアーカラー等の画像データを合成して表示することができるので、実際にヘアーカットやヘアーセットを行う前に、そのヘアースタイルがユーザ８に似合っているかどうかを的確に判断することができる。
【００４６】
図３は、本実施例の表示装置１０の表示部５に表示される画面の一例を示す説明図である。ユーザ８は、表示部５の画面を見ながら、自分の好みに合ったヘアースタイルやヘアーカラーを選択して表示させることができる。
【００４７】
例えば、表示画面において、図示しないリモコン等の入力装置を使用して、カーソル２１で「ｓｈｏｒｔ」のラジオボタンを選択し、「Ｂｒｏｗｎ」のアイコンをポイントすると、撮像部４で撮像したユーザ８の顔の画像に、ショートヘアーでブラウンに染められたヘアースタイルの合成画像が表示される。
【００４８】
このように、本実施例の表示装置１０によれば、ユーザ８あるいは美容師９がリモコン等により自由にヘアースタイルを選択することができるので、ユーザ８の顔に似合うヘアースタイル等を的確に選定することができる。
【００４９】
図４は、本実施例の表示装置１０を側面から見た一部断面図を示す。本実施例の表示装置１０は、表示部５の表示面に対応する部分が開口した壁板２８の前面側（ユーザ８側）にハーフミラー７を取り付け、ハーフミラー７の前面側上部にデジタルカメラ等の撮像部４が設置され、壁板２８の背面側に表示部５が設置される。
【００５０】
表示部５は、表示部保持用角パイプ２５に固定され、表示部保持用角パイプ２５には、車２４，２６およびモーター２２が取り付けられる。車２４，２６は、レール２３，２７に沿って移動可能に組み合わされており、モーター２２を回転させることにより、表示部５は紙面に垂直に、すなわちハーフミラー７に沿ってユーザ８の横方向に移動することができる。
【００５１】
図５は、本実施例の表示装置１０の移動機構６を示すために、表示部５の前面側から見た斜視図であり、図６は、本実施例の表示装置１０の移動機構６を示すために、表示部５の背面側から見た斜視図である。
【００５２】
図５，６に示すように、本実施例の表示装置１０は、表示部保持用角パイプ２５が表示部５を保持しており、表示部保持用角パイプ２５に取り付けられた車２４，２６が、モーター２２の回転によりレール２３，２７に沿って移動し、表示部５を矢印の方向にスライドさせることができる。
【００５３】
このため、本実施例の表示装置１０を美容院等で使用する場合に、ハーフミラー７の前面側に複数設置された座席に対して、表示部５をユーザ８が座った座席に対面する位置に移動させることができるので、少ない設備で複数のユーザ８の要求に応じることができる。
【００５４】
なお、以上の説明では、表示部５に撮像部４で撮像したユーザ８の顔の画像データを表示する例を説明したが、表示部５のユーザ８の顔に対応する領域に黒信号を出力し、その領域をミラーとして機能させ、ユーザ８自身の顔の像に、ヘアースタイルの画像データを合成させることもできる。
【００５５】
さらに、ユーザ８のヘアーセットが終了した後に、ユーザ８のヘアー部分をミラーとして機能させて実際のヘアースタイルを確認し、ユーザ８の顔部分にファンデーションを変化させた顔の画像データを表示させ、実際のヘアースタイルに合ったファンデーションを選択することもできる。
【００５６】
このように、本実施例の表示装置１０によれば、ハーフミラー７の一部の領域をミラーとして機能させることができるので、ヘアースタイルやファンデーションを自由に選択することができるとともに、ヘアーセット終了後の確認を容易に行うことができる。
【００５７】
また、本実施例の表示装置１０は、テレビジョン映像を表示することができるので、美容院などでユーザ８がパーマをかけている間などの待ち時間を楽しく過ごすことができ、ユーザ８の満足度を向上させることができる。
【００５８】
（第２の実施例）
図７は、本発明の第２の実施例を説明するための表示部５の表示画面を示す概略図である。本実施例の表示装置１０は、例えば、デパートの婦人服売り場などで、トータルファッションのバランスを表示画面上でシミュレーションするために、撮像したユーザ８の全身あるいは身体の一部の画像データに装着部材画像データを合成して表示するものである。
【００５９】
図８，９，１０は、画像データ保存部２に保存される装着部材画像データの例を示す。図８は、「ＤＲＥＳＳ−１」から「ＤＲＥＳＳ−１２」まで、デザイン、色、サイズ等が異なる様々な上着を示す。また、図９、１０は、「ＳＵＩＴ」から「ＮＥＣＫＬＡＣＥ−３」までの様々なファッションアイテムを示す。これらのファッションアイテムには、さらに、デザイン、色、サイズ等が異なる様々なサブアイテムが含まれ、それらを選択することができる。
【００６０】
図７は、撮像部４で撮像したユーザ８の顔の画像データに、装着部材画像データとして、図８，９，１０の太線で囲んだ「ＨＡＩＲ−１」、「ＮＥＣＫＬＡＣＥ−３」、「ＤＲＥＳＳ−３」、「ＷＲＩＳＴ  ＷＡＴＣＨ」、「ＢＡＧ−３」、「ＳＴＯＣＫＩＮＧＳ」、「ＳＨＯＥＳ−３」を合成して表示させたものである。
【００６１】
このように、本実施例の表示装置１０によれば、トータルファッションのバランスを画面上でシミュレーションすることができるので、希望するファッションアイテムを的確に選択することができ、ユーザ８の趣向を十分に満足させることができる。
【００６２】
なお、撮像部４でユーザ８の全身を撮像し、ユーザ８の全身が撮像されたユーザ画像データの各部分に、装着部材画像データを合成してもよく、あるいは、撮像部４でユーザ８の身体の一部を撮像し、ユーザ８の身体の一部が撮像されたユーザ画像データと、ユーザ８の身体の他の部分に対応する装着部材画像データを合成してもよい。
【００６３】
また、図７の点線３１で示すユーザ８の顔部分の映像出力を黒信号として、ハーフミラー７のその部分をミラーとして機能させることも可能である。このようにすれば、顔部分にユーザ８自身の顔が映り、他の部分はファッションアイテムの装着部材画像データが表示されるので、ユーザ８に似合うファッションアイテムを容易に選定することができる。
【００６４】
あるいは、例えば、ユーザ８の上半身に上着の画像データを表示し、上半身以外の部分をミラーとして機能させれば、ユーザ８が実際に身に付けている服装に似合う上着を容易に選択することができる。
【００６５】
（第３の実施例）
図１１は、本発明の第３の実施例にかかる画像処理システム１００の概略構成を示す説明図である。本実施例の画像処理システム１００は、画像処理サーバ５１と表示装置１０がネットワーク５４を介して接続された画像処理システム１００であって、画像処理サーバ５１は、複数の装着部材画像データを保存する画像データ保存部２と、画像データ保存部２から選択的に読み出された装着部材画像データとネットワーク５４および通信部５３を介して表示装置１０から送られてきた画像データとを合成し、合成画像データを生成する画像合成部３と、画像処理サーバ５１全体の動作を制御するために所定のプログラムによって動作するプロセッサを主体に構成される画像処理制御部５２とを備える。
【００６６】
また、表示装置１０は、背面側から入射した光を前面側に透過し、かつ前面側から入射した光を前記前面側に反射するハーフミラー７と、ハーフミラー７の背面側に配置される表示部５と、ユーザ８を撮像して、画像データを生成する撮像部４と、表示部５に画像処理サーバ５１からネットワーク５４および通信部５５を介して送られてきた合成画像データを表示する画像表示制御部１とを備える。
【００６７】
このように、本実施例の画像処理システム１００によれば、画像処理サーバ５１に複数の装着部材画像データを保存する画像データ保存部２を備えるので、複数の表示部５に表示させるの装着部材画像データを一括して保存し管理することができる。また、ファッションアイテムの流行に応じて、画像処理サーバ５１の装着部材画像データを更新すれば、常に最新のファッションに対応することができる。なお、表示装置１０の動作は、第１の実施例と同様であるので、説明を省略する。
【図面の簡単な説明】
【図１】本発明の第１の実施例を説明するための表示装置を示す概略構成図
【図２】本実施例の表示装置を美容院で使用する様子を示す説明図
【図３】本実施例の表示装置の表示部５に表示される画面の一例を示す説明図
【図４】本実施例の表示装置を側面から見た一部断面図
【図５】本実施例の表示装置の移動機構６を説明するための前面側から見た斜視図
【図６】本実施例の表示装置の移動機構６を説明するための背面側から見た斜視図
【図７】本発明の第２の実施例を説明するための表示装置１０の表示画面を示す説明図
【図８】画像データ保存部に保存される装着部材画像データの例を示す図
【図９】画像データ保存部に保存される装着部材画像データの例を示す図
【図１０】画像データ保存部に保存される装着部材画像データの例を示す図
【図１１】本発明の第３の実施例にかかる画像処理システムの概略構成を示す説明図
【符号の説明】
１  画像表示制御部
２  画像データ保存部
３  画像合成部
４  撮像部
５  表示部
６  移動機構
７  ハーフミラー
８  ユーザ
９  美容師
１０  表示装置
２１  カーソル
２２  モーター
２３、２７  レール
２４、２６  車
２５  表示部保持用角パイプ
２８  壁板
５１  画像処理サーバ
５２  画像処理制御部
５３、５５  通信部
５４  ネットワーク
１００  画像処理システム
【図１】
2005010356.tif 000003
【図２】
2005010356.tif 000004
【図３】
2005010356.tif 000005
【図４】
2005010356.tif 000006
【図５】
2005010356.tif 000007
【図６】
2005010356.tif 000008
【図７】
2005010356.tif 000009
【図８】
2005010356.tif 000010
【図９】
2005010356.tif 000011
【図１０】
2005010356.tif 000012
【図１１】
2005010356.tif 000013